(57)【要約】【課題】照明装置において、デザイン性を損なうことなく、アクセサリの良好な着脱操作感が得られるようにする。【解決手段】照明装置１は、光出射面を有し、該光出射面を覆うようにアクセサリ１０が取り外し可能に装着される。該照明装置は、アクセサリの装着途中において該アクセサリに設けられた突起部１１が摺動する外面５７ａと、該外面から突出した凸部５６ａと、上記外面に対して摺動して凸部を乗り越えた突起部が係合する凹部５５ａとを有する。さらに、凸部の頂面から凹部に沿って延びるとともに上記外面の高さに近づくように該外面に対して傾いた傾斜面５８ａを有する。【選択図】図６
2017138373.tif 000002
【特許請求の範囲】
【請求項１】
光出射面を有し、該光出射面を覆うようにアクセサリが取り外し可能に装着される照明装置であって、
前記アクセサリの装着途中において該アクセサリに設けられた突起部が摺動する外面と、
前記外面から突出した凸部と、
前記外面に対して摺動して前記凸部を乗り越えた前記突起部が係合する凹部と、
前記凸部の頂面から前記凹部に沿って延びるとともに前記外面の高さに近づくように該外面に対して傾いた傾斜面とを有することを特徴とする照明装置。
【請求項２】
前記凹部は、矩形であって、
前記傾斜面は、前記凹部の前記凸部に面する辺と直交する辺に沿って延びること特徴とする請求項１に記載の照明装置。
【請求項３】
前記凹部は、前記凸部と前記傾斜面とにより囲まれていることを特徴とする請求項２に記載の照明装置。
【請求項４】
前記傾斜面は平面であることを特徴とする請求項１から３のいずれか一項に記載の照明装置。
【請求項５】
前記アクセサリは、弾性を有するとともに、該アクセサリを該照明装置から取り外す際に前記突起部と前記凹部との係合を解除するための指掛け部を有しており、
前記傾斜面は、前記係合を解除するために前記指掛け部に掛けられた指が接触しながら動くことを可能とする面であることを特徴とする請求項１から４のいずれか一項に記載の照明装置。
【請求項６】
前記凹部に係合した前記突起部によって押されることにより、前記アクセサリの装着を検出するスイッチ構造を有することを特徴とする請求項１から５のいずれか一項に記載の照明装置。
【請求項７】
被写体を撮影する撮像装置に取り外し可能に装着されることを特徴とする請求項１から６のいずれか一項に記載の照明装置。
【発明の詳細な説明】
【技術分野】
【０００１】
本発明は、撮影等に用いられる照明装置に関する。
【背景技術】
【０００２】
撮影において被写体を照明する照明装置には、特許文献１にて開示されているように、照明光が出射する発光部の光出射面を覆うように光拡散アダプタやカラーフィルタ等のアクセサリが取り外し可能に装着される。特許文献１の照明装置では、ユーザによってアクセサリが光出射面側（前側）から発光部に被せられ、該発光部の下面に設けられた凹部にアクセサリに設けられた突起部が嵌まり込む（係合する）ことによってアクセサリが発光部（つまりは照明装置）に装着される。
【先行技術文献】
【特許文献】
【０００３】
【特許文献１】特開２０１３−１６４５５９号公報
【発明の概要】
【発明が解決しようとする課題】
【０００４】
特許文献１にて開示された照明装置の発光部にアクセサリを装着する際に、ユーザはアクセサリを発光部に対して前側から押し込むように操作し、アクセサリの突起部を発光部の下面（外面）に対して摺動させて最後に凹部に嵌まり込ませる。ただし、突起部を凹部に落ち込ませるだけでは、ユーザにとって装着完了の操作感が得にくい。そこで、装着完了の操作感を向上させる方法として、凹部の前側に凸部を設け、この凸部を乗り越えた突起部が凹部に嵌まり込むように構成して、装着完了の直前に必要な操作力を一旦増加させる、つまりはクリック感を生じさせる方法が考えられる。
【０００５】
しかしながら、単純に発光部の外面に凸部を設けると、外観上の見栄え（デザイン性）を損なうおそれがあるとともに、以下の問題が生じる。アクセサリを発光部から取り外す際に、ユーザはアクセサリの後端部に指を掛けて突起部を凹部から離脱させるように持ち上げながらアクセサリを前側に移動させる。この際、アクセサリの後端部に掛けられた指が発光部に沿って動く途中で凸部に引っ掛かることで、ユーザに不快感を与えるおそれがある。
【０００６】
本発明は、デザイン性を損なうことなく、アクセサリの良好な着脱操作感が得られる照明装置を提供する。
【課題を解決するための手段】
【０００７】
本発明の一側面としての照明装置は、光出射面を有し、該光出射面を覆うようにアクセサリが取り外し可能に装着される照明装置である。該照明装置は、アクセサリの装着途中において該アクセサリに設けられた突起部が摺動する外面と、該外面から突出した凸部と、上記外面に対して摺動して凸部を乗り越えた突起部が係合する凹部とを有する。さらに、凸部の頂面から凹部に沿って延びるとともに上記外面の高さに近づくように該外面に対して傾いた傾斜面を有することを特徴とする。
【発明の効果】
【０００８】
本発明によれば、デザイン性を損なうことなく、アクセサリの良好な着脱操作感が得られる照明装置を実現することができる。
【図面の簡単な説明】
【０００９】
【図１】本発明の実施例であるフラッシュ装置の発光部を示す斜視図。
【図２】実施例のフラッシュ装置に装着可能なアクセサリを示す斜視図。
【図３】実施例においてアクセサリを発光部に装着した状態を示す斜視図。
【図４】実施例においてアクセサリの着脱操作を説明する斜視図。
【図５】実施例における発光部のアクセサリ取付構造を説明する分解斜視図。
【図６】上記アクセサリ取付構造を説明するための断面図。
【図７】実施例のフラッシュ装置を含む撮影システムの構成を示すブロック図。
【発明を実施するための形態】
【００１０】
以下、本発明の実施例について図面を参照しながら説明する。
【００１１】
図７には、本発明の実施例である照明装置としてのフラッシュ装置１と、該フラッシュ装置１が取り外し可能に装着された撮像装置としてのデジタルカメラ１００とを含む撮影システムを示している。フラッシュ装置１は、デジタルカメラ１００の上部に設けられたアクセサリシュー１０１に装着され、その光出射面を通して不図示の被写体に対して照明光Ｌを照射する。デジタルカメラ１００には、被写体からの光に被写体像を形成させる交換レンズ２００が取り外し可能に装着されている。また、デジタルカメラ１００には、被写体像を撮像（光電変換）する撮像素子１０２が内蔵されている。
【００１２】
フラッシュ装置１は、ヘッド部５０とこれを支持するとともに上記アクセサリシュー１０１に装着される本体部７０とを有する。ヘッド部５０内には、キセノン管等の放電管により構成される光源ＬＳと、光源ＬＳからの照明光Ｌを集光する光学部材としてのフレネルレンズパネル６５と、光源ＬＳからの照明光をフレネルレンズパネル６５側に反射する反射傘ＲＣとが設けられている。発光部５０は、いわゆるバウンス撮影を可能とするために、本体部７０に対して不図示のヒンジ機構を介して結合されており、本体部７０に対して上下方向および左右方向に回転が可能である。
【００１３】
また、ヘッド部５０内には、図示はしないが、光源ＬＳを発光させるための電荷を蓄積する主コンデンサと、該主コンデンサの充電を行う昇圧回路と、光源ＬＳの発光（放電）を開始させるトリガ回路と、光源ＬＳの発光を制御する発光制御回路とが設けられている。本体部７０内に設けられたフラッシュマイコン（以下、ＦＣＰＵという）は、トリガ回路を通じて光源ＬＳの発光を開始させ、発光制御回路を通じて光源ＬＳの発光の強度や停止を制御する。本体部７０内には、上述した昇圧回路に電圧を供給する電源も収容されている。さらに、本体部５０には、後述する光学アクセサリ１０（２０）の本体部５０に対する装着を検出するためのアクセサリ装着検出部ＭＤが設けられている。ＦＣＰＵは、アクセサリ装着検出部ＭＤからの信号に基づいて光学アクセサリ１０（２０）の本体部５０に対する装着の有無を検出（判別）する。
【００１４】
なお、本実施例では、キセノン管等の放電管が光源であるフラッシュ装置を例にして説明を行うが、光源の種類は放電管に限定されず、ＬＥＤ等であってもよい。この場合、キセノン管等の放電管を発光させるための電子部品に代えてＬＥＤを発光させるための電子部品を備えればよい。
【００１５】
図１（ａ），（ｂ）にはそれぞれ、斜め上側および斜め下側から見たフラッシュ装置１の発光部５０を示している。図７に示した光源ＬＳからの照明光は、直接または反射傘ＲＣで反射してフレネルレンズパネル６５に入射し、該フレネルレンズパネル６５の光出射面から出射して被写体に照射される。フレネルレンズパネル６５は、所定の照明範囲に対して照射される照明光に均一な配光分布を与える。以下の説明において、発光部５０のうちフレネルレンズパネル６５が設けられている側を前側といい、その反対側を後側という。
【００１６】
図２（ａ），（ｂ）にはそれぞれ、フレネルレンズパネル６５を覆うように発光部５０に装着されることでフラッシュ装置１の光学特性を変化させる光学アクセサリ１０，２０を斜め前側、斜め上側および斜め下側から見て示している。図２（ａ）に示した光学アクセサリ１０は、照明光を拡散させるバウンスアダプタであり、図２（ｂ）に示した光学アクセサリ２０は、照明光の色温度を変化させるカラーフィルタである。ただし、これら以外の光学アクセサリを発光部５０に装着することも可能である。
【００１７】
図３（ａ）にはカラーフィルタ２０を発光部５０に装着した様子を斜め後方から見て示している。また、図３（ｂ）にはバウンスアダプタ１０を発光部５０に装着した様子を斜め後方から見て示している。さらに、図３（ｃ）に示すように、バウンスアダプタ１０は、発光部５０に装着されたカラーフィルタ２０を覆うように発光部５０に装着することも可能である。以下の説明において、この状態を、バウンスアダプタ１０とカラーフィルタ２０の同時装着状態ともいう。
【００１８】
図１（ａ）に示すように、発光部５０の上面側の外観を形成する上カバー５１における前側の部分には、三角リブ５２ａ，５２ｂにより３分割された取付リブ５３ａ，５３ｂ，５３ｃが設けられている。図１（ｂ）に示すように、発光部５０の下面側の外観を形成する下カバー５４における前側の部分には、下側に向かって開口する角穴形状の凹部５５ａ，５５ｂ，５５ｃ，５５ｄが設けられている。
【００１９】
図２（ａ）に示したバウンスアダプタ１０は、乳白色であり、光透過性および弾性を有する樹脂により一体形成されている。バウンスアダプタ１０の上面部の内面の左右には、発光部５０への装着時に取付リブ５３ａ，５３ｃに係合するレール部１４ａ，１４ｂが形成されている。また、バウンスアダプタ１０の下面部１６における内面の左右には、発光部５０への装着時に発光部５０（下カバー５４）に設けられた凹部５５ａ，５５ｄと係合する角柱形状の突起部１１，１２が形成されている。一方の突起部１１の先端面には、前述したアクセサリ装着検出部（スイッチ）ＭＤを押すための突起形状のスイッチ押圧部１１ａが形成されている。さらに、下面部１６の内面における突起部１１，１２の左右方向での内側には、迎えリブ１３ａ，１３ｂが形成されている。迎えリブ１３ａ、１３ｂは、図３（ｃ）に示すように、カラーフィルタ２０との同時装着状態において該カラーフィルタ２０の下面部２５と近接するように配置されている。
【００２０】
図２（ｂ）に示したカラーフィルタ２０は、例えばタングステン光の色温度に合わせたオレンジ色に着色され、光透過性および弾性を有する樹脂により一体形成されている。カラーフィルタ２０の上面部の内面には、発光部５０への装着時に取付リブ５３ｂと係合するレール部２３が形成されている。また、カラーフィルタ２０の下側に設けられた下面部２５の内面には、発光部５０への装着時に発光部５０の凹部５５ｂ，５５ｃと係合する角柱形状の突起部２１，２２が形成されている。一方の突起部２２の先端面には、前述したアクセサリ装着検出部（スイッチ）ＭＤを押すための突起形状のスイッチ押圧部２２ａが形成されている。
【００２１】
カラーフィルタ２０としては、ユーザが所望する照明光の色温度に応じて異なる着色がなされたものが複数種類用意されている。これら複数種類のカラーフィルタの基本的な形状は同一である。ただし、装着されたカラーフィルタの種類を判別可能とするために、スイッチ押圧部の位置をカラーフィルタの種類に応じて突起部２１に設けたり、突起部２２に設けたり、突起部２１，２２の双方に設けたりしている。
【００２２】
図４（ａ），（ｂ）を用いて、光学フィルタ１０，２０の発光部５０に対する装着方法および取り外し方法について説明する。ここでは、カラーフィルタ２０を用いて説明する。
【００２３】
図４（ａ）に示すように、カラーフィルタ２０を発光部５０に装着する際には、まずユーザは、カラーフィルタ２０の上面部のレール部２３を発光部５０の取付リブ５３ｂと係合させる。次に、ユーザは、カラーフィルタ２０を取付リブ５３ｂとの係合部を回転中心として後方に回転させる。これにより、図中に矢印に示すように、カラーフィルタ２０の下面部２５が発光部５０の下カバー５４に対して後側に押し込まれる。下面部２５が発光部５０に対して所定の位置まで押し込まれると、カラーフィルタ２０における前述した突起部２１，２２が発光部５０の凹部５５ｂ，５５ｃに嵌まり込む（係合する）。これにより、カラーフィルタ２０の発光部５０に対する装着が完了する。
【００２４】
カラーフィルタ２０の突起部２１，２２が凹部５５ｂ，５５ｃと係合するまでの装着途中では、突起部２１，２２が発光部５０の下カバー５４の外面に当接することでカラーフィルタ２０の下面部２５は弾性変形した状態となる。この状態で下カバー５４の外面に対して摺動した突起部２１，２２が凹部５５ｂ，５５ｃの位置に到達すると、下面部２５の弾性変形が解放されて突起部２１，２２が凹部５５ｂ，５５ｃに嵌り込む。
【００２５】
一方、図４（ｂ）に示すようにカラーフィルタ２０を発光部５０から取り外す際には、ユーザは、下面部２５の後端に設けられた指掛け部２４に破線で示すように指を掛ける。そして、突起部２１，２２を凹部５５ｂ，５５ｃから引き抜いてこれらの係合を解除するように下面部２５を持ち上げつつ、下面部２５を前側に押し出す。これにより、カラーフィルタ２０の発光部５０からの取り外しが完了する。
【００２６】
なお、バウンスアダプタ１０の発光部５０に対する装着方法および取り外し方法も、カラーフィルタ２０と同様である。ただし、バウンスアダプタ１０を発光部５０に装着する際には、ユーザはバウンスアダプタ１０の上面部のレール部１４ａ，１４ｂを発光部５０の取付リブ５３ａ，５３ｃに係合させる。そして、バウンスアダプタ１０の突起部１１，１２を発光部５０の凹部５５ａ，５５ｄに係合させる。また、バウンスアダプタ１０の発光部５０からの取り外しは、ユーザがバウンスアダプタ１０の下面部１６の後端に設けられた指掛け部１５に指を掛けて行う。
【００２７】
また、バウンスアダプタ１０とカラーフィルタ２０の同時装着状態からの取り外しは、カラーフィルタ２０の指掛け部２４に指を掛けるだけで行うことができる。前述したように、バウンスアダプタ１０には、同時装着状態においてカラーフィルタ２０の下面部２５と近接する迎えリブ１３ａ，１３ｂが設けられている。カラーフィルタ２０の指掛け部２４が持ち上げられると、下面部２５が迎えリブ１３ａ，１３ｂと当接してバウンスアダプタ１０の下面部１６も弾性変形して持ち上げられる。これにより、カラーフィルタ２０の突起部２１，２２と発光部５０の凹部５５ｂ，５５ｃとの係合が解除されるとともに、バウンスアダプタ１０の突起部１１，１２と発光部５０の凹部５５ａ，５５ｄとの係合も解除される。
【００２８】
また、発光部５０の上部において取付けリブ５３ａ，５３ｂ，５３ｃが同一直線上に設けられていることで、バウンスアダプタ１０とカラーフィルタ２０を発光部５０に同時に着脱する際のそれらの回転中心がほぼ同じとなる。これにより、バウンスアダプタ１０とカラーフィルタ２０を重ねたままで容易に発光部５０に対して同時着脱を行うことができる。
【００２９】
次に、図５および図６を用いて、凹部５５ａ，５５ｂ，５５ｃ，５５ｄを含む発光部５０の下面側のアクセサリ取付構造についてより詳細に説明する。図５は、発光部５０の下面側を分解して示し、図６は凹部５５ａを含む位置での発光部５０の断面を示す。
【００３０】
凹部５５ａ，５５ｂ，５５ｃ，５５ｄの前側（直前）にはそれぞれ、下カバー５４の外面よりも下側（外側）に突出する凸部５６ａ，５６ｂ，５６ｃ，５６ｄが形成されている。下カバー５４の外面のうち凸部５６ａ，５６ｂ，５６ｃ，５６ｄよりも前側には、下カバー５４の前端部５４ａからそれら凸部５６ａ，５６ｂ，５６ｃ，５６ｄまで後側に延びる摺動面５７ａ，５７ｂ，５７ｃ，５７ｄが形成されている。摺動面５７ａ，５７ｂ，５７ｃ，５７ｄには、下カバー５４の外観面に施されたマット処理等とは異なり、鏡面処理が施されている。これにより、バウンスアダプタ１０やカラーフィルタ２０の突起部１１，１２，２１，２２が摺動面５７ａ，５７ｂ，５７ｃ，５７ｄに対して摺動しても傷がつきにくく、かつ傷が目立たないようにしている。
【００３１】
また、凹部５５ａ，５５ｂ，５５ｃ，５５ｄの周囲のうち凸部５６ａ，５６ｂ，５６ｃ，５６ｄが形成された前側以外の左側、右側および後側の部分には、傾斜面５８ａ,５８ｂ，５８ｃ，５８ｄが形成されている。これら傾斜面５８ａ,５８ｂ，５８ｃ，５８ｄは、それぞれ凸部５６ａ，５６ｂ，５６ｃ，５６ｄの頂面から後側に向かって延びるとともに下カバー５４の外面の高さに近づくように該外面に対して傾いている。本実施例では、各傾斜面の後端は、下カバー５４の外面と同一の高さに位置する。凸部５６ａ〜５６ｄおよび傾斜面５８ａ〜５８ｄを設けた理由については後述する。
【００３２】
図６には、バウンスアダプタ１０の発光部５０への装着途中から装着完了までに発光部５０に対して移動する突起部１１（１１−ｉ〜１１−ｋ）および該突起部１１の先端に設けられたスイッチ押圧部１１ａ（１１ａ−ｉ〜１１ａ−ｋ）を破線で示している。前述したようにユーザがバウンスアダプタ１０を後方に回転させながら押し込むことで、突起部１１ａは、スイッチ押圧部１１ａにて摺動面５７ａに当接して摺動面５７ａ上を摺動し（１１−ｊ，１１ａ−ｊ）、次に凸部５６ａに乗り上げる（１１−ｊ，１１ａ−ｊ）。これにより、ユーザがバウンスアダプタ１０を押し込むのに必要な操作力が一旦増加する。そして、ユーザがさらにバウンスアダプタ１０を押し込むと、突起部１１が凸部５６ａを乗り越えて凹部５５ａに嵌り込む（１１−ｋ，１１ａ−ｋ）。これにより、装着が完了する。また、突起部１１が凸部５６ａを乗り越えることで、先に増加した押し込みに必要な操作力が減少し、クリック感が発生する。
【００３３】
図５および図６に示すように、凹部５５ａ〜５５ｄのうち凹部５５ａ，５５ｂ，５５ｃの奥には貫通穴５９ａ，５９ｂ，５９ｃが形成され、発光部５０における各貫通穴よりも奥には図７に示したアクセサリ装着検出部ＭＤが設けられている。
【００３４】
図５および図６において、６４は図７に示した光源ＬＳおよび反射傘ＲＣを収容し、前端部においてフレネルパネル６５を保持するフードである。アクセサリ装着検出部ＭＤは、フード６４の下面に保持されたフレキシブルプリント基板６２上のスイッチパッド６２ａ，６２ｂ，６２ｃと、導電ゴムスイッチ６１ａ，６１ｂ，６１ｃと、押圧部材６０ａ，６０ｂ，６０ｃで構成されるスイッチ構造を有する。押圧部材６０ａ，６０ｂ，６０ｃはそれぞれ貫通穴５９ａ，５９ｂ，５９ｃ内に配置されている。例えば、図６に示すように、バウンスアダプタ１０の突起部１１（１１−ｋ）が発光部５０の凹部５５ａに嵌まり込むと、突起部１１の先端のスイッチ押圧部１１ａ（１１ａ−ｋ）が押圧部材６０ａを押し込むことで、導電ゴムスイッチ６１ａを押圧する。これにより、導電ゴムスイッチ６１ａが導通状態となり、スイッチパッド６２ａを通して装着検出信号が図７に示したＦＣＰＵに入力される。こうして、発光部５０に対するバウンスアダプタ１０の装着が検出される。
【００３５】
同様に、カラーフィルタ２０の突起部２２が発光部５０の凹部５５ｃに嵌まり込むと、突起部２２の先端のスイッチ押圧部２２ａが押圧部材６０ｃを押し込むことで、導電ゴムスイッチ６１ｃを押圧する。これにより、導電ゴムスイッチ６１ｃが導通状態となり、スイッチパッド６２ｃを通して装着検出信号がＦＣＰＵに入力される。こうして、発光部５０に対するカラーフィルタ２０の装着が検出される。また、スイッチパッド６２ｂ、導電ゴムスイッチ６１ｂおよび押圧部材６０ｂを用いることで、バウンスアダプタ１０およびカラーフィルタ２０以外の光学アクセサリの発光部５０への装着が検出される。
【００３６】
バウンスアダプタ１０、カラーフィルタ２０および他の光学アクセサリの発光部５０への装着を検出したＦＣＰＵは、これらの装着によってフラッシュ装置１の光学特性が変化したことをカメラマイコン１０１に伝える。カメラマイコン１０１は、フラッシュ装置１の光学特性の変化に対して適切な露出や色温度の画像を得るようにカメラ１００を制御する。
【００３７】
次に、前述したように発光部５０の凹部５５ａ〜５５ｄの周囲に凸部５６ａ〜５６ｄおよび傾斜面５８ａ〜５８ｄを設けた理由について説明する。
【００３８】
凸部を設けた第１の理由は、前述したようにバウンスアダプタ１０やカラーフィルタ２０等の光学アクセサリの発光部５０への装着完了の直前にクリック感を発生させることで、光学アクセサリの装着操作を行っているユーザに良好な操作感を与えるためである。
【００３９】
第２の理由は、光学アクセサリが衝撃等により発光部５０から容易に外れないように凹部の深さを十分確保する必要があるが、凸部の頂面からの凹部の深さを必要分確保すれば、発光部５０（下カバー５４）の外面からの凹部の深さを浅くすることができるためである。ここで、特許文献１では、本実施例のアクセサリ装着検出部に相当する構成として、光学アクセサリに取り付けられた磁石の磁力を発光部に設けられた磁気センサが検知する構成を有する。ただし、磁気センサを用いるとコスト増につながるため、本実施例のように発光部５０の凹部の奥にスイッチ構造を設けることがコストの観点からは好ましい。しかし、凹部の奥に磁気スイッチに比べて容積が大きいスイッチ構造を設けると、該スイッチ構造が発光部の内部構造に影響し、発光部の大型化を招くおそれがある。これに対して、本実施例によれば、発光部５０の外面からの凹部の深さを浅くすることで、該凹部の奥にスイッチ構造を設けても、該スイッチ構造が発光部５０の内部構造に影響することを回避することができる。
【００４０】
一方、傾斜面を設けた第１の理由は、発光部５０に凸部を追加しただけでは外観上の見栄えを損なうため、傾斜面を設けることで凸部を目立たなくすることができるためである。第２の理由は以下の通りである。前述したように、光学アクセサリを発光部５０から取り外す際に、ユーザは光学アクセサリの後端に設けられた指掛け部（１５，２４）に指を掛けて突起部を凹部から離脱させるように持ち上げながら光学アクセサリを前側に移動させる。この際、指掛け部に掛けられた指が傾斜面に接触しながら凸部の頂面まで動くことが可能であるため、スムーズに、つまりは指が凸部に引っ掛かってユーザが不快に感じることなく、光学アクセサリを取り外すことができる。
【００４１】
なお、本実施例では、発光部５０の各凹部の周囲のうち左側、右側および後側の部分に傾斜面を設けて、凹部が凸部と傾斜面とに囲まれている。しかしながら、傾斜面は少なくとも凹部の左右において該凹部に沿って延びていればよく、必ずしも凹部の後側の部分にまで傾斜面を設けなくてもよい。凹部が矩形であれば、傾斜面は凹部の凸部と面する辺と直交する辺に沿って延びていればよい。
【００４２】
また、傾斜面の形状は平面であっても曲面であってもよいが、より平面に近いほど指が凸部に引っ掛かる感覚を軽減することができる。
【００４３】
以上説明したように、本実施例によれば、凹部５５ａ〜５５ｄに沿って傾斜面５８ａ〜５８ｄを設けたことで、凸部５６ａ〜５６ｄを目立たなくすることができる。また、光学アクセサリ１０，２０を取り外す際にユーザの指が凸部５６ａ〜５６ｄに引っ掛かることも回避することができる。つまり、デザイン性を損なうことなく、光学アクセサリの良好な着脱操作感が得られるフラッシュ装置１を実現することができる。
【００４４】
なお、本実施例では、発光部５０の上部に設けられた取付リブ５３ａ〜５３ｃに係合させた光学フィルタを回転させることで、該光学アクセサリの突起部を発光部５０の下面に設けられた凹部に係合させる場合について説明した。しかし、これ以外の装着方法によって光学アクセサリを発光部に装着する場合でも、本実施例のように凹部の周囲に凸部および傾斜面を設ける構造を採用することが可能である。また、本実施例では、光学アクセサリを発光部５０の前側から装着する場合について説明したが、凹部を発光部の両側面に設けて、光学アクセサリを発光部の上側から装着するようにしてもよい。
【００４５】
以上説明した各実施例は代表的な例にすぎず、本発明の実施に際しては、各実施例に対して種々の変形や変更が可能である。
【符号の説明】
【００４６】
１  フラッシュ装置
１０  バウンスアダプタ
１１，１２  突起部
２０  カラーフィルタ
２１，２２  突起部
５０  発光部
５５ａ〜５５ｄ  凹部
５６ａ〜５６ｄ  凸部
５８ａ〜５８ｄ  傾斜面
【図１】
2017138373.tif 000003
【図２】
2017138373.tif 000004
【図３】
2017138373.tif 000005
【図４】
2017138373.tif 000006
【図５】
2017138373.tif 000007
【図６】
2017138373.tif 000008
【図７】
2017138373.tif 000009